(57)【要約】高圧ガス放電ランプ（ＨＩＤ[高輝度放電]ランプ）又はＵＨＰ[超高性能ランプ]の点灯方法及び回路配置を開示する。このランプはプロジェクションディスプレイを順次演色で照明する(例えばＬＣＯＳ又はＳＣＲ−ＤＭＤシステム)に特に好適である。演色にけるアーチファクトが所定の振幅及び所定のタイミングを有する少なくとも１つの補償パルスの発生させランプ電流に重畳させることにより避けられる。
2005524959.tif 000002
【特許請求の範囲】
【請求項１】
高圧ガス放電ランプを、第１電流パルスと各第１電流パルスと関連する少なくとも１つの第２電流パルスとが重畳されたランプ電流で付勢することにより点灯する方法であって、前記第１及び第２電流パルスは互いに反対方向の振幅と限定可能時間差を有し、第２電流パルスの数及び／又は振幅レベル及び／又は時間長を、第１電流パルスにより生ずる光束の変化と前記少なくとも１つの関連する第２電流パルスにより生ずる光束の変化が互いに少なくとも十分に相殺しあうように調整することを特徴とする高圧ガス放電ランプの点灯方法。
【請求項２】
プロジェクションディスプレイをサイクル時間で順次に繰り返し発生される複数の原色で照明するための高圧ガス放電ランプを点灯する請求項１記載の方法であって、前記第１及び第２電流パルスは原色の１サイクル又はその倍数に対応する相互間隔を有することを特徴とする請求項１記載の方法。
【請求項３】
前記第１電流パルスの振幅は、これにより発生する発生光束の増大が、前記少なくとも１つの関連する第２電流パルスにより達成される発生光束の対応する低減により少なくとも十分に相殺される向きであることを特徴とする請求項１記載の方法。
【請求項４】
前記ランプ電流はほぼ矩形は交流電流であり、該ランプ電流の各極性変化の前に前記第１電流パルスが重畳されることを特徴とする請求項３記載の方法。
【請求項５】
前記第１及び第２電流パルスはすべてほぼ同一の時間長を有することを特徴とする請求項１記載の方法。
【請求項６】
ランプ電流を発生させ、第１電流パルスを発生させ前記ランプ電流に重畳させるとともに、前記各第１電流パルスと関連する少なくとも１つの第２電流パラメータを発生させることにより高圧ガス放電ランプを点灯させる回路配置であって、前記第１及び第２電流パルスは互いに反対方向の振幅と限定可能時間差を有し、第２電流パルスの数及び／又は振幅レベル及び／又は時間長を、第１電流パルスにより生ずる光束の変化と前記少なくとも１つの関連する第２電流パルスにより生ずる光束の変化が互いに少なくとも十分に相殺しあうように調整するよう構成されていることを特徴とする高圧ガス放電ランプ点灯用回路配置。
【請求項７】
プロジェクションディスプレイを１サイクル時間で順次に繰り返し発生される複数の原色で照明するための高圧ガス放電ランプを点灯する請求項１記載の回路配置であって、前記第１及び第２電流パルスは原色の１サイクル又はその倍数に対応する相互間隔を有することを特徴とする請求項６記載の回路配置。
【請求項８】
電源電圧からランプ電流を発生させるコンバータと、マイクロコントローラを有する制御装置であって、前記コンバータの出力端子の電圧信号と、前記コンバータを流れる電流の振幅を表す電流信号と、前記マイクロコントローラに蓄積されたランプ電流の公称経時変化とに基づいて前記コンバータを制御する制御装置とを具える請求項６記載の回路配置。
【請求項９】
プロジェクションディスプレイと、少なくとも一つの高圧ガス放電ランプと、請求項６−８の何れかに記載の回路配置とを具えるプロジェクションシステム。
【発明の詳細な説明】
【技術分野】
【０００１】
本発明は、特にプロジェクションディスプレイ、例えばＬＣＯＳ（liquid crystal on semiconductor）又はＳＣＲ−ＤＭＤ(sequential color recapture-digital micro mirror device)カラーディスプレイの照明用に設計された高圧ガス放電ランプ（ＨＩＤ（高輝度放電）ランプ又はＵＨＰ(超高性能)ランプ）を点灯する方法及び回路配置に関するものである。本発明はプロジェクションディスプレイと高圧ガス放電ランプとこのような回路配置とを具えたプロジェクションシステムにも関するものである。
【背景技術】
【０００２】
高圧ガス放電ランプを点灯する方法及び回路はＵＳ５，６０８，２９４号に開示されている。この明細書によれば、ランプは交流電流で点灯され、これにより電極の早期の腐食が防止されるとともにランプの効率を高めることができる。しかし、このような交流電流は不安定なアーク放電の怖れも増大し、発生する光束のフリッカを生じうる。その原因は、アーク放電は温度と電極の表面の状態に依存することにあり、加えて、電極温度の時間勾配(依存性、変化)が、電極が陽極として動作するフェーズと陰極として動作するフェーズとで相違することにある。これは、電極温度がランプ電流の１サイクル中に大きく変化する結果となる。この問題を相当程度除去するために、ランプ電流の各半サイクルの終了時、即ち極性変化前に同一の極性の電流パルスを発生させ、これをランプ電流に重畳して、合計電流を増大させるとともに電極温度を上昇させる。これによりアーク放電の安定性を大きく向上させることができる。
【０００３】
しかし、この電流変化は、ランプが、事実上大きく強調されたパルス状成分を含む交流ランプ電流で点灯され、これに対応してパルス状に増大した光束を生ずる結果ももたらす。しかし、これは、特にこのようなランプを順次演色（シーケンシャルカラーレンダリング）を用いるプロジェクションディスプレイの照明に使用する場合にアーチファクトを生ずる。
【０００４】
これは、例えば３原色がディスプレイ上をカラーバーの形で順次に走行するＬＣＯＳディスプレイに関連する（清水，「Scrolling Color LCOS for HDTV Rear Projection」,SID 01 Digest of Technical Paper, vol. XXXII, pp.1072-1075, 2001）。光束が電流パルスのために増大すると、カラーバーの輝度が対応して増大する。その結果として、カラーバーは、カラーバーの瞬時位置に依存して、常にディスプレイの所定の領域において他の領域より高い輝度で表される。しかし、良好な画像品質を達成するためには、特に交流ランプ電流が干渉効果や類似の効果を避けるために画像反復周波数と同期する場合に、３つの色の輝度をすべての画像領域で等しくする必要がある。
【０００５】
ＳＣＲ−ＤＭＤプロジェクションディスプレイも上述のアーチファクトに影響される（例えば、Deald, Penn, Davis: “Sequential Color Recapture and Dynamic Filtering: A method of Scrolling Color”, SID 01 Digest of Technical Paper, vol. XXXII, pp. 1076-1079, 2001）。
【０００６】
従って、本発明の目的は、光束を比較的短い期間に亘り平均化しても特に均一な光束を発生しうる高圧ガス放電ランプの点灯方法及び回路配置を提供することにある。
【０００７】
特に、プロジェクションディスプレイをほぼ自然な色彩印象が生ずるように照明することができる、高圧ガス放電ランプをパルス状ランプ電流で点灯させる方法及び回路配置を提供することにある。
【０００８】
更に、特にプロジェクションディスプレイを可視アーチファクトや他の視覚的に観察可能な干渉を殆ど生ずることなく照明することができる、高圧ガス放電ランプをパルス状ランプ電流で点灯させる方法及び回路配置を提供することにある。
【０００９】
最後に、順次演色を有するプロジェクションディスプレイによりアーチファクトフリー演色を達成し得るのみならず、安定なアーク放電によりフリッカフリー光束を発生し得るように高圧ガス放電ランプを点灯することができる方法及び回路配置を提供することにある。
【００１０】
この目的を達成するために、請求項1に記載の発明は、高圧ガス放電ランプを、少なくとも第１電流パルスと各第１電流パルスと関連する少なくとも１つの第２電流パルスとが重畳されたランプ電流で付勢することにより点灯する方法であって、前記第１及び第２電流パルスは互いに反対方向の振幅と限定的時間差を有し、第２電流パルスの数及び／又は振幅レベル及び／又は時間長を、第１電流パルスにより生ずる光束の変化と前記少なくとも１つの関連する第２電流パルスにより生ずる光束の変化が互いに少なくとも十分に相殺しあうように調整することを特徴とする。
【００１１】
本発明の目的は、更に、請求項６に記載の回路配置によって達成される。
例えば第１電流パルスにより生ずる光束がランプ電流に重畳された反対方向の１個又は数個の第２電流パルスにより生ずる対応する光束の低減により補償されることによって、第１及び第２電流パルスの時間間隔が比較的小さい場合でも、(短い)期間に亘り平均すると、極めて均一な光束を発生可能となる。
【００１２】
補償は、ランプの用途に依存して、上述したアーチファクトや他の干渉がもはや知覚し得ないときに達成されたものとみなされる。
従属請求項は本発明の有利な他の実施例に関連する。
第１及び第２電流パルス間の時間間隔は、プロジェクションディスプレイを順次演色で照明するランプ用途の場合には、請求項２及び７に従って選択するのが好ましい。この解決手段の利点は、ランプ点灯のために最適化された電流波形に関して大きな制限を受け入れる必要なしに、アーチファクトを原色の任意のサイクル時間(サブフレーム周波数)に対し比較的簡単に確実に避けることができる。
【００１３】
請求項３及び４の実施例は、本質的に、高圧ガス放電ランプを、一方では例えばＵＳ特許明細書５，６０８，２９４に記載されている均一な電極腐食(交流ランプ電流)及びフリッカレス点灯(追加の電流パルス)に関して最適化されたランプ電流で点灯するが、他方では種々のパルス成分によりアーチファクトを生ずることなく、ディスプレイを順次演色で照明するランプ用途にも使用することができる利点を有する。
【００１４】
請求項５は特に本発明の方法の簡単な実施例を可能にする。
請求項８の回路配置は本発明の方法を比較的簡単且つ安価に実現可能にする。
本発明の他の詳細、特徴及び利点は図面を参照して以下に記載する好適実施例の説明から明らかになる。
【００１５】
一般問題を明らかにするために、最初に次の観察を行う。
上述した種類のカラーディスプレイを、ランプ電流に電流パルスが重畳され、発生する光束に対応するパルス状の増大を生ずるランプで照明すると、ディスプレイ全体に各色の不均一な強度分布が発生し得る。
【００１６】
これは、特に交流ランプ電流の場合であって、このランプ電流が画像の変動を避けるために３原色（カラーバー）の反復周波数(すなわちサブフレーム周波数)と同期する場合に真実である。その理由は、この同期はランプ電流に作用する第１パルスに対しても与えられるためである。
【００１７】
従って、パルス状に増大される光束は、常に、３つのカラーバーがディスプレイ上のそれぞれ異なる同一の位置にあるとき、即ち、例えば青色バーがディスプレイの上３分の１に、緑色バーが中央３分の一に、赤色バーが下３分の１に位置するときにディスプレイをたたく。このことは、青色は常にディスプレイの上３分の１の領域において、緑色は常に中央３分の１の領域において、赤色は常に下３分の１の領域において、他の領域にあるときより高い輝度を有する。
【００１８】
本発明はこのように生ずるアーチファクトや他の視覚的に知覚しうる干渉を防止し、少なくともほぼ自然な演色を達成することにある。
【００１９】
本発明の基本的アイディアは、上述した種類の第１電流パルスにより増大した１つのカラーバーの輝度を、ディスプレイの当該領域において、カラーバーが１つ(又は数個)の後続サブフレームサイクルにおいて同一のディスプレイ領域に再び到達するときにこの輝度を対応して減少させることにある。これは、関連する瞬時に電流パルスをランプ電流に重畳し、この電流パルス（以後第２電流パルスという）によりランプ電流、従って発生する光束も対応して減少させることにより達成される。
【００２０】
画像の反復周波数（ビデオ周波数）の少なくとも３倍である高いサブフレーム周波数のために、ディスプレイの１つの同一の領域における１つの色の交互に異なる輝度は人間の目に知覚し得ないが、平均すると、前記パルスが発生しないランプ電流のフェーズで得られる輝度レベル、即ちディスプレイの他の領域におけるそれぞれの同一の色の輝度レベルになる。
【００２１】
図１はディスプレイの１ラインに対するこの補償の最も簡単な場合を示す。各カラーセグメント赤(I)，緑(II)及び青(III)の透過率が縦軸にプロットされている。これらのセグメントはそれぞれ赤色光、緑色光及び青色光を時間的に順次に透過する。更に、この図は光束(IV，絶対光束)の時間勾配（依存性又は変化）を重畳パルスとともに示す。光束を増大する第1パルス（Iva）の結果として、今この瞬時に活性化される赤カラーセグメントが特に強く明るくなる。この増大したカラー輝度は、赤カラーセグメントが活性化される次のフェーズに発生され且つランプの対応する低い光束をもたらす第２のパルス(IVb) により補償される。従って、時間的に平均すると、種々の色によるディスプレイの均一な照明が達成され、アーチファクトや視覚的に知覚可能な干渉を発生しない。
【００２２】
適切なランプ電流を発生させ放電ランプを点灯する回路配置の設計においては、画像品質を最適にするために次の要件及びパラメータを考慮する必要がある。補償のために発生する第２(電流)パルスの時間的長さを第１(電流)パルスの時間的長さに等しくする必要がある。第２パルスの周波数、従って時間シフトは、サブフレーム周波数又はサブフレームサイクル(又はその倍数)に従って、毎回ディスプレイの同じ位置において同じ色で活性化される必要がある。
【００２３】
第２電流パルス、即ちその振幅は無パルスフェーズ中のランプ電流のレベルを超えることはできないことも認識すべきである。第１電流パルス中のランプ電流が所定の点灯状態で無パルスフェーズにけるランプ電流の２倍以上である場合には、（従ってランプ電流が第１パルス中に制限できないものとすれば）、十分な振幅及び上述した時間間隔を有する数個の第２電流パルスを発生させる必要がある。
【００２４】
更に、電極の速く不規則な腐食を避けるためやその他の理由のためにランプが交互極性の電流で点灯される場合には、電流パルスの時間的位置は、第１電流パルスが毎回ランプ電流の極性変化前に発生するようにする必要があるとともに、該第１電流パルスは瞬時ランプ電流と同一の極性を有し、従って瞬時ランプ電流を増大するものとする必要がある。これによりアーク放電の不安定性及びこれに伴うフリッカが避けられる。
【００２５】
パルス周波数に重畳され干渉を生ずる低周波数成分がディスプレイ上に見えないようにすべきである。最後に、ランプの限界周波数及びディスプレイを含むプロジェクションシステムの限界周波数もパルス周波数のレベルの決定に考慮すべきである。
【００２６】
図２−４は第１パルスにより増大された光束の補償（基本機能又は関数）の３つの異なる可能性を示す。図１の表現と異なり、縦軸はパルスにより生じた光束（相対光束）（即ち、パルスにより発生した輝度と無パルスランプ電流により発生した輝度との差）の変化のみを示す。横軸はディスプレイ上を全カラーバーが通過する回数、即ちサブフレーム周波数に標準化されている。図２−４に示す基本機能(関数)は互いに組み合わせることもできる。
【００２７】
詳細には、図２では第１パルスは次のサブフレーム内の同一の位置の同一の振幅及び長さの第２パルスにより補償される。図３では、第１パルスは次の２つのサブフレーム内の同一の長さ及び半分の振幅を有する２つの第２パルスにより補償される。最後に、図４では、第１パルスは次の３つのサブフレーム内の同一の長さ及び第１パルスの３分の１の振幅を有する３つの第２パルスにより補償される。第２パルスの振幅は常に第１パルスの振幅の向きと反対向きである。
【００２８】
補償のために３つより多数の第２パルスを使用することもできる。しかし、これは光放射内の低周波数成分の割合も増大するため、これにより可視アーチファクトが発生する怖れも増大する。
【００２９】
更に、個々のパルスはサブフレーム内の任意所望の位置に発生させることができる。その決定因子はもっぱらパルスの相互間隔であり、１サブフレームの持続時間(又はその倍数)にできるだけ正確に一致させる必要がある。従って、第２パルスを１つ置いて次のサブフレーム内に発生させることにより補償することも考えられる。
【００３０】
図５は再び図１及び図２に示す第１基本機能に対する絶対光束(I)及び相対光束(II)の時間勾配(変化)を示し、図６はこの補償を実現する対応する交流ランプ電流の時間勾配(変化)を示す。所定のサブフレーム周波数において、交流ランプ電流のサイクル持続時間及びその位相角は好ましくは図に示すとおりであり、アーク放電の安定性を保証するために、第１パルスが常に瞬時ランプ電流が極性変化する前と同一の極性で発生するように同期が取られる。
【００３１】
交流ランプ電流の周波数をサブフレーム周波数に対して増大させる必要がある場合には、上述したように追加の第１パルスを挿入し、これによりアーク放電の安定性を保証する必要がある。
【００３２】
しかし、この間、それにより生ずるランプ電流はある環境の下ではＤＣ成分を含み得ることを認識すべきである。例えば、図２の２つのパルスシーケンスを組み合わせると、２つの第１パルスと２つの第２パルスが常に互いに続くことになる。ランプ点灯は各第１パルス後に電流の向きを反転させるのが有利であるため、その結果としてランプ電流にＤＣ成分が発生する。図２の３つのパルスシーケンスの組み合わせ又は図３の２つのパルスシーケンスの組み合わせはＤＣ成分の発生を避けることができる。
【００３３】
図７は図２に示す種類の３つの基本機能の組み合わせにおける相対光束を示す。この組み合わせは、各シーケンスが約２/３サブフレームの位相シフトを有し、１つのサブフレーム内に１つの第１パルスと２つの第２パルスが、次のサブフレーム内に２つの第１パルスと１つの第２パルスが存在する。図８は交流ランプ電流の対応する勾配(変化)を示す。サブフレーム周波数が１８０Hzの場合、１３５Hzのランプ周波数が得られる。
【００３４】
上述したように、第１パルスを１つの第２パルスのみで補償することはできないことが起こりうる。この場合には、図３又は図４に示す(第２及び第３)基本関数の少なくとも１つを使用する必要がある。
【００３５】
しかし、このような１つの基本機能のみを使用する場合には、比較的低いランプ周波数になる。例えば、図３に示す補償では３つのサブフレーム内に１つの第１パルスが発生するのみであるため、１８０Hzのサブフレーム周波数はたった３０Hzのランプ周波数になる。この理由のために複数の基本機能の線形組み合わせが好ましい。
【００３６】
図９は図３に示す種類の２つの(第２)基本機能の組み合わせにおける相対光束を示す。この組み合わせは互いに１．５サブフレームの位相シフトを有する。図１０はこの結果のランプ電流の時間勾配(変化)を示す。
【００３７】
図１１は、ディスプレイが図１０に示すランプ電流を有するランプで照明されたときに発生する種々の周波数成分の振幅を示す。図１１において、丸点はカラーバーの横断時におけるディスプレイ照明のＤＣ成分の変調により発生される周波数成分を示し、四角点は第１及び第２パルスにより発生される周波数成分を示す。この場合の光束サイクルは３つのサブフレームをカバーし、サブフレーム周波数は１８０Hｚであると仮定したため、パルスの最低周波数成分は６０Hzにある。
【００３８】
最後に、図１２は上述したランプ電流を発生する回路配置のブロック図である。この回路配置は、本質的に、ＤＣ電圧源１１から得られる電源電圧から直流電流を発生するそれ自体既知のコンバータ１０(バルクコンバータ)と、コンバータ１０を直流電流が上述した勾配(変化)を有するように制御する制御装置２０と、コンバータ１０の直流電流を適切な交流ランプ電流に変換するとともに接続されたランプ３１に対するイグニション電圧を発生しうるコミュテータ３０とを具える。
【００３９】
詳細には、コンバータ１０は直列接続インダクタンス１０２を具え、その出力端子に並列キャパシタ１０３を具える。インダクタンス１０２は、極性切替えスイッチ１０１の第１スイッチング位置でＤＣ電圧源１１の第１極に接続される。第２スイッチング位置では、インダクタンス１０２はキャパシタ１０３に並列に接続される。更に電流測定装置１０４が設けられ、この装置はインダクタンス１０２を流れる電流のレベルを表す電流信号を発生する。
【００４０】
制御装置２０はマイクロコントローラ２０１とスイッチングユニット２０２を具える。
【００４１】
コンバータ１０の出力端子から得られた電圧信号がマイクロコントローラ２０１の入力端子に供給される。マクロコントローラ２０１は第１出力端子に基準信号（ランプ電流の要求値）を発生し、この信号をスイッチングユニット２０２に供給するとともに、第２出力端子に電流方向信号を発生し、この信号をコミュテータ３０に供給する。これにより同期したランプ電流のコミュテーションが達成される。
【００４２】
スイッチングユニット２０２は、第１入力に電流信号が供給され、第２入力にマイクロコントローラ２０１により発生された基準信号が供給される第１論理ゲート２０２１と、同様に電流信号が供給される第２論理ゲート２０２２を具える。スイッチングユニット２０２は、更に、第２論理ゲート２０２２の出力に接続されたセット入力端子と第１論理ゲート２０２１の出力に接続されたリセット入力端子を有するスイッチング素子２０２３を具える。最後に、スイッチング素子２０２３の出力端子Ｑが極性切替えスイッチ１０１に接続され、このスイッチを２つのスイッチング位置の間で切り替える。
【００４３】
このスイッチング装置の動作は以下に記載通りである。ランプの点弧及びランアップに関するプロセスは従来既知であり、ここに詳細に説明する必要はないものと思う。
【００４４】
コンバータ１０のスイッチングサイクルの開始時に、極性切替えスイッチ１０１は最初に第１（上側）スイッチング位置にあり、ＤＣ電圧源１１の正極をインダクタンス１０２に接続する。従って、電流がインダクタンス１０２を経て流れ、電流信号によって検出されるそのレベルが論理ゲート２０２１の第２入力に供給される基準信号(電流の要求値)を超えるまで増大する。基準信号を超えると、第１論理ゲート２０２１はスイッチング素子２０２３のリセット入力端子に信号を発生するため、スイッチング素子２０２３は極性切替えスイッチ１０１を図１２に示す第２(下側)スイッチング位置に切り替える。これによりインダクタンス１０２はＤＣ電圧源１１から切り離されると同時に、キャパシタ１０３が並列に接続されるため、こうして形成された回路に減衰電流が流れる。この電流が零値になると、第２論理ゲート２０２２がスイッチング素子２０２３のセット入力端子に信号を発生するため、スイッチング素子２０２３はスイッチ１０１を第１スイッチング位置に切り替え、新たなプロセスが開始する。
【００４５】
極性切替えスイッチのスイッチング周波数は基本的にインダクタンス１０２の値により決まり、一般に約２０kHzと数百kHzとの間である。キャパシタ１０３の値は、コンバータ１０に供給される出力電圧がほぼ一定になるように決定して、コミュテータ３０及びランプ３１を流れる電流もほぼ一定になるようにするとともに、理想的な場合には、マイクロコントローラ２０１により与えられる基準値の半分になるようにする。逆に、マイクロコントローラ２０１はその第１出力端子に所望ランプ電流の２倍の大きさの電流基準信号を発生する必要もある。
【００４６】
ランプ電流勾配(変化)は一方ではその周波数により決まり、他方では上述したように各極性変化の前に同一の瞬時極性を有する第１電流パルスを発生させることにより決まる。更に、第１電流パルスに依存して、同様に第２電流パルスを発生させ、ランプ電流に重畳する必要がある。これらの電流パルスの長さ及び電流パルス中にランプを流れる総合電流の最大振幅は本質的にランプ特性により決定される。これらの全てのパラメータはマイクロコントローラ２０１(又はメモリ)に蓄積されるため、マイクロコントローラは適切な勾配(変化)を有する電流基準信号を発生することができる。
【００４７】
ディスプレイ上の画像生成に対する電流パルスの同期のためのタイムスケジュールは可変又は一定にすることができる。一定の予め決められたタイムスケジュールに対するプロシージャを以下に記載する。
【００４８】
最初に、マイクロコントローラ２０１は第１シーケンスのステップにおいて所要平均電流値と第２パルス中の電流値をコンバータ１０の出力端子で測定され電圧信号として供給されるる電圧Ｕmeasから計算する。第２パルスは本例では第１パルスと正確に同一の長さである。この第１シーケンスのステップを規則正しいインターバルで繰り返すのが好ましい。
【００４９】
次に、マイクロコントローラ２０１は測定した電圧値Ｕmeasが最大値と最小値の間にあるか検出する。あれば、マイクロコントローラ２０１はこの電圧値Ｕmeasとランプ電力Ｐから所要平均電流値ＩAGV＝Ｐ/Ｕmeasを計算する。次に、この電流値と第１パルス（Ｉpulse）の蓄積振幅(電流値)及び第２パルスの蓄積数（ｎcomp）とから第２パルスに対する所要電流値（Ｉcomp）を計算する。
Ｉcomp＝ＩAGV−ΔＩpulse/ｎcomp
ここで、ΔＩpulse＝Ｉpulse−ＩAGV
【００５０】
第２シーケンスのステップにおいて、マイクロコントローラ２０１は第１出力端子に基準信号を、更には第２出力端子に電流方向信号を、これらの３つの電流（ＩAGV，Ｉpulse，Ｉcomp）に基づいて所望のサイクルの交流ランプ電流に従って繰り返し発生する。所要の切替え時間はメモリから得られる。毎回半サイクルの電流値を得るだけでよい。その理由は、他の半サイクルは常に（逆極性の）同一の勾配を有するためである。更に、第１及び第２電流パルスの規則正しい時間分布の通常の場合には、２つの時間値、即ち２つの電流パルス間のインターバルｔconst及び電流パルスの持続時間ｔpulseが必要とされるのみである。
【００５１】
もっと詳細には、上述したように、基準信号は最初に平均電流値ＩAGVの２倍に対しセットされ、無パルスフェーズ中に必要なランプ電流が調整される。期間ｔconstが経過した後、基準信号が第２電流パルスに必要とされる電流値Ｉcopmの２倍に対し設定され、ランプ電流が第２パルスの振幅により低減される。パルス時間tpulseが経過した後、数個（ｎ）の第２電流パルスが１つの第１電流パルスを補償するために発生される場合には、このプロシージャがｎ回繰り返される。
【００５２】
１つの第２電流パルスを発生するのみの場合には、基準信号は再び次のステップにおいて平均電流値ＩAGVの２倍に対し設定される。時間ｔconstの経過後、基準信号は次の第１電流パルスに必要とされる電流値Ｉpulseの２倍に対し設定され、ランプ電流は第１電流パルスの値により増大される。パルス持続時間ｔpulseの経過後、最後に、電流方向信号がマイクロコントローラ２０１の第２出力端子に発生されるため、コミュテータ３０がランプ電流の電流方向を切り替え、交流ランプ電流の第２の半サイクルを上述した第１及び第２シーケンスのステップに従って開始する。
【００５３】
上述の計算は、ランプにより供給される光束がランプ電流にほぼ線形に依存するという仮定に基づいている。この仮定は殆どのガス放電ランプに対し正当である。他のランプでは、電流は第２電流パルスに対して追加の補正因子を用いて計算して、１つの第１電流パルス中に増大する光束の程度は、関連する第２電流パルス(又は関連する複数の第２電流パルス)中に減少する光束の程度に等しくなるようにする必要がある。
【図面の簡単な説明】
【００５４】
【図１】ディスプレイの１ラインにおけるカラー活性化及び光束の時間勾配(変化)を示す。
【図２】増大した光束を補償する第１の基本関数を示す。
【図３】増大した光束を補償する第２の基本関数を示す。
【図４】増大した光束を補償する第３の基本関数を示す。
【図５】第１の基本関数に基づく絶対光束及び相対光束の時間変化を示す。
【図６】図５に示す場合における補償パルスを有する交流ランプ電流の時間勾配(変化)を示す。
【図７】第１の基本関数の３つの組み合わせの場合の相対光束の時間勾配(変化)を示す。
【図８】図７に示す場合における補償パルスを有する交流ランプ電流の時間勾配（変化）を示す。
【図９】第２の基本関数の２つの組み合わせの場合の相対光束の時間勾配(変化)を示す。
【図１０】図９に示す場合における補償パルスを有する交流ランプ電流の時間勾配（変化）を示す。
【図１１】図１０に示す交流ランプ電流に対するディスプレイの照明の周波数スペクトルを示す。
【図１２】交流ランプ電流を発生する回路配置を示す。
【図１】
2005524959.tif 000003
【図２】
2005524959.tif 000004
【図３】
2005524959.tif 000005
【図４】
2005524959.tif 000006
【図５】
2005524959.tif 000007
【図６】
2005524959.tif 000008
【図７】
2005524959.tif 000009
【図８】
2005524959.tif 000010
【図９】
2005524959.tif 000011
【図１０】
2005524959.tif 000012
【図１１】
2005524959.tif 000013
【図１２】
2005524959.tif 000014
【国際調査報告】
2005524959.tif 000015
2005524959.tif 000016
2005524959.tif 000017